(57)【特許請求の範囲】
【請求項１】
乗用型の機体と、該機体に昇降可能に装着されて、芝生面に残存している枯草類を掬い上げて吸引回収するための回転ブラシユニットと、該回転ブラシユニットを構成するケーシングの後下端部に取付けられた接地ローラと、前記回転ブラシユニットの後方に着脱可能に装着されて、該回転ブラシユニットにより吸引回収された枯草類、塵類を収容させるための集塵バケットとを備え、
前記回転ブラシユニットは、そのケーシング内に回転ブラシと送風羽根とが相上下して配設された構成の乗用型芝生面清掃機であって、
前記回転ブラシユニットを構成する回転ブラシを前記接地ローラに接触させたことを特徴とする乗用型芝生面清掃機。
【請求項２】
乗用型の機体と、該機体に昇降可能に装着されて、芝生面に残存している枯草類を掬い上げて吸引回収するための回転ブラシユニットと、該回転ブラシユニットを構成するケーシングの後方に着脱可能に装着されて、該回転ブラシユニットにより吸引回収された枯草類、塵類を収容させるための集塵バケットとを備え、
前記回転ブラシユニットは、そのケーシング内に回転ブラシと送風羽根とが相上下して配設された構成の乗用型芝生面清掃機であって、
前記回転ブラシユニットの上昇時において、そのケーシングの前板部の内側面に付着・堆積している土類が落下するのを防止するための土類落下防止板を、前記前板部の内側面の下端部に、前記回転ブラシと軽接触した状態で、該ケーシングの横方向に沿って取付けたことを特徴とする乗用型芝生面清掃機。
【発明の詳細な説明】
【０００１】
【発明の属する技術分野】
本発明は、ケーシング内に回転ブラシと送風羽根とが相上下して配設された回転ブラシユニットを備えた乗用型芝生面清掃機に関するものである。
【０００２】
【従来の技術】
乗用型の機体と、該機体に昇降可能に装着されて、芝生面に残存している枯草類を掬い上げて吸引回収するための回転ブラシユニットと、該回転ブラシユニットを構成するケーシングの後下端部に取付けられた接地ローラと、前記回転ブラシユニットの後方に着脱可能に装着されて、該回転ブラシユニットにより吸引回収された枯草類、塵類を収容させるための集塵バケットとを備え、前記回転ブラシユニットは、そのケーシング内に回転ブラシと送風羽根とが相上下して配設された構成の乗用型の芝生面清掃機は、枯草類の回収能力の大きな大型の芝生面清掃機として使用されている。
【０００３】
この芝生面清掃機においては、回転ブラシのみならず、そのほぼ直上に配設された送風羽根が該回転ブラシと同方向に高速回転して吸引気流を生じさせているので、枯草類の回収能力が高くなって清掃効果が優れ、しかも送風羽根の作用により内部に送り込まれた枯草類、塵類を収容するための集塵バケットは、昇降リンク装置によって、その排出口が下方を向くように反転させられながら、斜後上方に持ち上げられて、収容された枯草類、或いは塵類を排出させられて、その排出も容易であるために、多用されている。
【０００４】
ところで、図１４に拡大して示されているように、回転ブラシユニットＵ’を構成するケーシング１２の後下端部に取付けられた接地ローラ４８と、該ケーシング１２内に配設された回転ブラシ１３のブラシ毛４４の先端部との間には、所定の隙間が形成されていて、前記接地ローラ４８に付着した土は、スクレーパ（図示せず）によって掻き落される構成になっていた。しかし、この構成では、使用中において、接地ローラ４８の表面に、前記スクレーパの先端部との隙間に対応する厚さの土が付着してしまう。これにより、回転ブラシユニットＵ’の作業位置が、設定した位置よりも高くなってしまい、芝生面に散在している枯草類の清掃作業（吸引回収作業）に悪影響が出ていた。
【０００５】
また、図１４に示されるように、回転ブラシユニットＵ’のケーシング１２の前板部１７の内側面の下端部（正確には、前板部１７の内側に近接配置された掬上案内板５３の下端部）には、ゴム製のへら板６５が芝生面に近接して取付けられていて、該へら板６５と回転ブラシ１３のブラシ毛４４の先端との間には、所定の隙間６８が形成されている。清掃作業中においては、枯草類と一緒に土類Ｄがケーシング１２内に吸引され、そのまま上方に上がりきれない（吸引されない）ために、ケーシング１２の前板部１７の内側面の前記へら板６５の直上の隙間６８に土類Ｄが残って、そのまま付着・堆積してしまう。そして、清掃作業中においては、上記部分に付着・堆積した土類は、そのままの状態を維持しているが、機体の旋回時等においては、回転ブラシユニットＵ’を上昇させる必要があり、この際の停止衝撃力等によって、上記部分に付着・堆積していた土類Ｄが前記隙間６８の下端部を通って、芝生面上に固まったまま落下してしまう「ぼた落ち」が発生していた。このため、この「ぼた落ち」の部分のみを、再度人手等により清掃する必要があった。
【０００６】
【発明が解決しようとする課題】
本発明の第１の課題は、上記した回転ブラシユニットを備えた乗用型芝生面清掃機において、接地ローラに土が付着しないようにして、回転ブラシの清掃高さを常に設定通りに保持可能にすることであり、その第２の課題は、回転ブラシユニットを上昇させる際に、上記「ぼた落ち」の発生を防止することである。
【０００７】
【課題を解決するための手段】
第１の課題を解決するために本発明の採用した手段は、上記構成の乗用型芝生面清掃機において、前記回転ブラシユニットを構成する回転ブラシを前記接地ローラに接触させたことである。
【０００８】
これにより、清掃作業中において、回転ブラシは、常時接地ローラに接触しているために、接地ローラに土類が付着を開始する初期において、その付着が阻止されて、全清掃作業中において、接地ローラには、土類が付着していない状態を維持できる。この結果、回転ブラシの高さは、常時設定高さに維持されて、予め設定した最良条件の下で芝生面の清掃作業が行われる。
【０００９】
また、第２の課題を解決するために本発明の採用した手段は、上記構成の乗用型芝生面清掃機において、前記回転ブラシユニットの上昇時において、そのケーシングの前板部の内側面に付着・堆積している土類が落下するのを防止するための土類落下防止板を、前記前板部の内側面の下端部に、前記回転ブラシと軽接触した状態で、該ケーシングの横方向に沿って取付けたことである。
【００１０】
機体の旋回時等において、回転ブラシユニットを上昇させた場合においても、土類落下防止板の存在によって、ケーシングの前板部の内側面に付着・堆積している土類は、そのままの状態を維持して、落下しなくなる。
【００１１】
【発明の実施の形態】
以下、実施例を挙げて本発明を更に詳細に説明する。最初に、本発明に係る乗用型芝生面清掃機の全体構成について説明し、その後に、本発明に係る回転ブラシユニットＵの部分について詳細に説明する。図１は、集塵バケットＢを斜後上方に持ち上げた状態の本発明に係る芝生面清掃機の全体斜視図であり、図２は、作業状態における芝生面清掃機の側面図であり、図３は、同じく平面図であり、図４は、背面カバーＣを取り外した状態における回転ブラシユニットＵの斜視図である。機体１は、一つの前輪２と、一対の後輪３とを備えた三輪構造のものであって、その運転席４の側方には、油圧ポンプと、該ポンプを駆動するためのエンジン（いずれも図示せず）とが搭載されている。機体１は、これに設けられた一対の後輪３が油圧モータ５により駆動回転されて、自走する構成である。
【００１２】
機体１における運転席４の後方には、回転ブラシユニットＵが昇降可能に装着され、該回転ブラシユニットＵの後方には、集塵バケットＢが昇降リンク装置Ｌ２  によって斜後上方に向けて昇降可能となって装着されている。機体１の運転席４の後方であって、しかも該機体１の幅方向の両端部には、一対の第１支柱６が立設されて、一対の第１支柱６は、高さ方向の中央部よりも上方の部分において連結バー７を介して互いに連結されていると共に、各第１支柱６は、その背面側に取付けられた支持アーム８によって、その起立姿勢が維持される構造になっている。また、機体１の後端部であって、しかもその幅方向の両端部には、一対の第２支柱９が立設されている。この一対の第２支柱９は、機体１に対して回転ブラシユニットＵを支持するための平行リンク装置Ｌ１  を構成する各リンク１１の後端部を回動可能に連結するための部材であって、前記第１支柱６よりも、その高さが低くなっている。
【００１３】
次に、機体１に対する回転ブラシユニットＵの取付構造について説明する。回転ブラシユニットＵは、ケーシング１２の内部に回転ブラシ１３と送風羽根１４とが相上下して配設されて、それらの回転軸がケーシング１２の各側板部１５に支持された構成である。この回転ブラシユニットＵは、平行リンク装置Ｌ１  を介して機体１に昇降可能に支持されている。回転ブラシユニットＵの両側板部１５には、平行リンク装置Ｌ１  を構成する上下２本の各リンク１１の前端部を回動可能に連結するための連結部１６が相上下して突設されている。また、回転ブラシユニットＵの両側板部１５には、その前板部１７よりも前方に突出した状態でブラケット１８がそれぞれ取付けられ、前記前板部１７の前方に水平に配設されたユニット支持ロッド１９の両端部が前記各ブラケット１８に支持され、該支持ロッド１９の長手方向の中央部に、後述するユニット昇降シリンダＳ１  のロッド２１に連結される第１連結ブラケット２２（図６参照）が上方に向けて固着されている。
【００１４】
また、回転ブラシユニットＵの両側板部１５に突設されている前記各連結部１６と、第２支柱９とは、平行リンク装置Ｌ１  を構成する２本のリンク１１を介して連結されている。また、図５及び図６に示されるように、一対の第１支柱６を連結している連結バー７の長手方向の中央部には、第２連結ブラケット２３が下方を向いて固着されていて、ユニット昇降シリンダＳ１  のシリンダ本体２４の上端部は、前記第２連結ブラケット２３に連結されていると共に、そのロッド２１の下端部は、回転ブラシユニットＵの側の前記第１連結ブラケット２２に連結されている。従って、回転ブラシユニットＵは、その両側に配設された一対の平行リンク装置Ｌ１  と、ユニット昇降シリンダＳ１  とによって、機体１に対して昇降可能に支持されている。即ち、回転ブラシユニットＵが芝生面に接地している状態において、ユニット昇降シリンダＳ１  のロッド２１を引っ込めると、一対の平行リンク装置Ｌ１  の作用によって、その水平姿勢が維持された状態でもって、僅かに前後動しながら上昇されて、回転ブラシユニットＵは、非作業位置に配置される。また、逆に、回転ブラシユニットＵが非作業位置に配置されている状態で、ユニット昇降シリンダＳ１  のロッド２１を突出させると、回転ブラシユニットＵは、自重により、上記と同一状態で下降して、芝生面Ｆに接地されて、作業位置に配置される。なお、回転ブラシユニットＵの昇降時において、その後方の集塵バケットＢとの干渉を避けるために、平行リンク装置Ｌ１  を構成する各リンク１１は、作業時において、僅かに前下りとなっている。
【００１５】
次に、図１ないし図３、及び図１２を参照にして、集塵バケットＢそのものの構造と、機体１に対する取付構造とについて説明する。この集塵バケットＢは、その前端面に設けられたバケット側接続口２５が、前記回転ブラシユニットＵのケーシング１２の背面側の上端部に設けられたケーシング側接続口２６（図５参照）に接続されて、回転ブラシユニットＵから送り込まれる枯草類、塵類を収容すると同時に、その背面側に設けられた排出口２７が下方又は斜下方を向くように反転させることにより、内部に収容されている前記枯草類、塵類を排出可能にするためのバケットである。集塵バケットＢは、バケット本体２８と、その背面側の排出口２７を開閉可能に閉塞するための背面盤２９とから成り、両者２８，２９は、バケット本体２８の両側面にそれぞれ配設された長さの異なる２本のリンク３１，３２で連結されていると共に、バケット本体２８の背面部と、前記背面盤２９の上端部とが排出口開閉シリンダＳ２  により連結されて、該シリンダＳ２  のロッドの出入りにより、背面盤２９をバケット本体２８に対して前傾させながら上方に持ち上げることにより、バケット本体２８の排出口２７を開閉する構成である。
【００１６】
また、図１２に示されるように、集塵バケットＢのバケット本体２８の内部の天板部３３には、隔壁板３４が設けられていると共に、背面盤２９の内部は中空構造になっていて、その下端面は開放された空気排出口３５となっており、枯草類、塵類と一緒にバケット本体２８内に流入した気流は、前記隔壁板３４により分離形成された気流通路、及び背面盤２９の内部を通って、その下端の空気排出口３５から排出される構成になっている。
【００１７】
また、バケット本体２８の両側面における排出口２７に近接した部分と、前記した各第１支柱６の上端部とは、長さの異なる２本のリンク３６，３７で構成される昇降リンク装置Ｌ２  を介して連結されている。２本のリンク３６，３７のうち下方に配置された長さの長い側のリンク３６における第１支柱６に近い部分と、該第１支柱６の下端部とは、バケット昇降シリンダＳ３  を介して連結されており、該シリンダＳ３  のロッドの出入りによって、集塵バケットＢは、その排出口２７が下方、或いは斜下方を向くように反転されながら、斜後上方、或いは斜前下方に向けて昇降するようになっている。そして、集塵バケットＢは、その下降端に達した状態では、機体１の後端部に立設された一対の第２支柱９の間に配置された状態で、回転ブラシユニットＵの後方に配置されて、該集塵バケットＢの前端面のバケット側接続口２５と、回転ブラシユニットＵを構成するケーシング１２のケーシング側接続口２６とが合致して、相互に接続されるようになっている。なお、図１２に示されるように、バケット本体２８の前端面のバケット側接続口２５と、その後端面の排出口２７の周縁部には、それぞれゴムパッキン３８，３９が取付けられて、芝生面清掃機の作業時において、回転ブラシユニットＵ、或いは背面盤２９と密着した際に、その密着部の気密が図られている。
【００１８】
引き続いて、図４ないし図７、及び図１０を参照にして、本発明の特徴が存する回転ブラシユニットＵの部分について、詳細に説明する。回転ブラシユニットＵの全体構成は、前記ケーシング１２の内部に回転ブラシ１３と送風羽根１４とが相上下して配置されて、それらの各軸４１，４２が前記ケーシング１２の両側板部１５の部分で軸受（図示せず）を介して回転可能に支持されて、ケーシング１２の背面側に背面カバーＣが着脱可能に取付けられた構成である。
【００１９】
また、回転ブラシ１３は、ブラシ軸４１に取付板４３を介して複数個（実施例では６個）のブラシ毛４４が軸方向のほぼ全長に亘り、しかも周方向に沿って等間隔をおいて取付けられた構成である。一方、送風羽根１４は、羽根軸４２に複数枚（実施例では３枚）の羽根板４５が軸方向のほぼ全長に亘り、しかも周方向に沿って等間隔をおいて取付けられた構成である。送風羽根１４は、その羽根軸４２の一端部に油圧モータ４６（図３参照）が直結されていて、該油圧モータ４６により駆動回転され、回転ブラシ１３は、送風羽根１４の羽根軸４２の回転がベルト伝動装置４７（図４参照）を介して自身のブラシ軸４１に伝達されて、前記送風羽根１４と同一方向に回転する構成になっている。
【００２０】
また、図２、図４、図５及び図１２に示されるように、作業時における回転ブラシユニットＵの高さを定めるための接地ローラ４８が前記回転ブラシ１３の直後に配設されている。即ち、ケーシング１２の両側板部１５の下端部であって、しかも前端に近い部分に、それぞれローラ支持アーム４９が連結されて、各ローラ支持アーム４９の後端部に前記接地ローラ４８の両端部が支持されている。また、ローラ支持アーム４９における接地ローラ４８を支持している後端部の手前側の部分と、ケーシング１２の両側板部１５に突設状態で固着された支持ロッド５１とは、ターンバックル５２を介して連結されていて、該ターンバックル５２の操作によって、ケーシング１２に対する接地ローラ４８の上下方向に沿った位置を調整可能にしている。また、前記回転ブラシ１３の各ブラシ毛４４は、図６及び図７に示されるように、接地ローラ４８の外周面に所定の接触圧力で常時接触している。ここで、接地ローラ４８に対する各ブラシ毛４４の接触圧力は、清掃作業時に該接地ローラ４８の従動回転中において、その外周面に付着せんとする土類が直ちに掻き落とされて、その付着を防止できる程度の圧力である。
【００２１】
また、図４、図５及び図１０に示されるように、ケーシング１２の背面に装着された背面カバーＣを取り外すと、該ケーシング１２の背面は、全面開口された形状を成していて、その前板部１７の上下端部は、送風羽根１４及び回転ブラシ１３の各直径に対応した円弧状にわん曲されていて、それらの外周との間に僅かの隙間が形成されるようになっている。本実施例では、ケーシング１２の前板部１７の内側に、その内側面との間に僅かの隙間を有して掬上案内板５３が全高に亘って配設されていて、該掬上案内板５３の内側面と送風羽根１４及び回転ブラシ１３との間に所定の隙間が形成されている。また、図４に示されるように、ケーシング１２の背面側の上半部には、前記集塵バケットＢの前端面のバケット側接続口２５の周縁部が当てがわれるために、その両側端部と上端部とには、それぞれ当板５４，５５が外側及び上側に向けて一体に取付けられている。
【００２２】
更に、前記背面カバーＣは、図４及び図５に示されるように、背面が全面開口されたケーシング１２の背面開口の上端部のケーシング側接続口２６となる部分を除いた全範囲を覆うためのカバーであって、回転ブラシ１３及び送風羽根１４の直径にそれぞれ対応した円弧状を成していて、その長さがケーシング１２の背面開口の幅に対応した２枚の各円弧板５６，５７の両端部が一対の側板５８で連結されて一体化され、更に、上方の円弧板５７の背面側に、ほぼ平板状のバケット当板５９が該円弧板５７の上端よりも上方に突出した状態で一体に取付けられ、各側板５８に相上下して一対の係合ピン６１が外側面から突出して設けられた構成である。このため、背面カバーＣは、先端に向けて急激に先細り状となった形状をしている。
【００２３】
また、ケーシング１２の両側板部１５の後端部には、背面カバーＣの両端の各係合ピン６１が係合される上下一対の各係合溝６２が後端面に開口し、しかも僅かに前下りとなった状態で形成されている。よって、背面カバーＣの両端部に設けられた各係合ピン６１を、ケーシング１２の両側板部１５の各係合溝６２に係合させて、該背面カバーＣを構成する各円弧板５６，５７をケーシング１２内に挿入すると、図５及び図１０に示されるように、各円弧板５６，５７が回転ブラシ１３の斜上方、及び送風羽根１４の斜下方に配置されて、背面カバーＣの背面開口の大部分が覆われて、該ケーシング１２の上端部の残った開口が、ケーシング側接続口２６となる。そして、この状態において、昇降リンク装置Ｌ２  によって集塵バケットＢを回転ブラシユニットＵの後方まで移動させて配置すると、図８及び図１２に示されるように、集塵バケットＢの前端面の周縁に取付けられた方形枠状のゴムパッキン３８が、ケーシング１２の背面側に設けられている左右一対の当板５４、上方の当板５５及び下方に配置されているバケット当板５９にそれぞれ密着して、ケーシング１２のケーシング側接続口２６と、集塵バケットＢの側のバケット側接続口２５とがほぼ気密状態で接続されると同時に、集塵バケットＢの前端面の下端部分が背面カバーＣの上端部のバケット当板５９に当接することにより、ケーシング１２に対して背面カバーＣが後方に移動不能となって、取り外れなくなる。
【００２４】
逆に、回転ブラシユニットＵの後方に集塵バケットＢが配置された作業状態において、昇降リンク装置Ｌ２  を作動させて、前記集塵バケットＢを斜後上方に移動させておいて、背面カバーＣを僅かに上方に持ち上げるようにして、そのまま後方に引き抜くと、ケーシング１２の背面の開口の大部分を覆っていた背面カバーＣが該ケーシング１２から取り外されて、図４に示されるように、ケーシング１２の背面の全面が開口する。このケーシング１２の背面が全面開口された状態において、この開口から高圧蒸気等をケーシング１２の内側面、特に前板部１７の内側面に吹き付けて、当該部分に付着している土等の付着堆積物を取り除く。ケーシング１２の背面が全面開口されているために、高圧蒸気等の噴射作業にも全く支障はなく、しかもケーシング１２の内側面の望む部位に高圧蒸気等を吹き付けられるために、ケーシング１２の内側面の洗浄効果が高められる。更に、背面カバーＣは、ケーシング１２から取り外されているため、その内側面である各円弧板５６，５７の表面に付着した付着堆積物の洗浄除去は、一層簡単となる。なお、図１及び図３において、６３，６４は、それぞれ運転席４の前方及び側方に設けられた操作ハンドル及び操作盤を示す。
【００２５】
また、図６及び図７に示されるように、ケーシング１２の前板部１７の内側面に近接して設けられた前記掬上案内板５３の下端部には、ゴム製のへら板６５がケーシング１２の横方向（水平方向）に沿って取付けられていて、その下半部は、前記掬上案内板５３の下端から斜下方に向けて突出している。このへら板６５は、清掃作業時において、ケーシング１２の前板部１７の下端と芝生面Ｆとの間に生ずる芝生面隙間を少なくして、回転ブラシ１３の高速回転によって掬い上げられた枯草類が前記芝生面隙間を通って前方に飛散されたりすること等を防止するために設けられている。
【００２６】
そして、本発明においては、ゴム製の前記へら板６５の上半部に、同じくゴム製の土類落下防止板６６が重ね合わせられた状態で取付けられている。このへら板６５と土類落下防止板６６とは、ケーシング１２に対して掬上案内板５３を取付けるためのボルト６７を介して該掬上案内板５３の内側面に一体に取付けられている。土類落下防止板６６は、その取付状態において、回転ブラシ１３のブラシ毛４４が軽接触する程度である。これにより、回転ブラシ１３の下半部と、掬上案内板５３の内側面との間に形成される隙間６８は、その下端部において閉塞された構造となる。また、土類落下防止板６６に対する回転ブラシ１３のブラシ毛４４の接触の程度は、その接触圧力が極めて小さな軽接触であるために、回転ブラシ１３の高速回転によって、芝生面Ｆに散在している枯草類Ｔ’を掬い上げてケーシング１２内に吸引回収する作用（清掃作用）は、全く阻害されずに、そのまま維持可能である。
【００２７】
引き続いて、本発明に係る芝生面清掃機の作用について説明する。ユニット昇降シリンダＳ１  によって、回転ブラシユニットＵを下降させて、その接地ローラ４８を芝生面に接地させた状態で、機体１を走行させると、図１２に示されるように、回転ブラシユニットＵのケーシング１２内に配設された回転ブラシ１３及び送風羽根１４が同方向に回転することにより、回転ブラシ１３によって、芝生Ｔ内に残存している枯草類Ｔ’がケーシング１２内に掬い上げられ、送風羽根１４の回転により、その下方に及んでいる吸引力と、送風羽根１４の回転作用とによって、ケーシング１２内に掬い上げられた枯草類Ｔ’及び軽量の塵類は、ケーシング１２の上端部の集塵バケットＢとの接続開口を通って、集塵バケットＢ内に収容される。一方、集塵バケットＢ内においては、バケット本体２８の天板部に隔壁板３４が設けられているために、吸引された塵類は、該隔壁板３４に衝突して、そのまま落下するために、空気のみが、背面盤２９の中空部を通って大気に放出される。
【００２８】
また、芝生面の清掃作業中においては、上記枯草類Ｔ’と一緒に土類Ｄも芝生面からケーシング１２内に掬い上げられて、ケーシング１２の前板部１７の内側面、即ち、掬上案内板５３の内側面の前記隙間６８の部分に土類Ｄが付着して堆積する。そして、機体１の旋回時等においては、図９、図１１及び図１３でそれぞれ実線で示されるように、回転ブラシ１３を回転させたままで、ユニット昇降シリンダＳ１  の作動によって、回転ブラシユニットＵを芝生面から上昇させる。このようにして、回転ブラシユニットＵを上昇させる際に、従来構造では、前記隙間６８に収容されて、掬上案内板５３の内側面に付着・堆積している土類Ｄは、該隙間６８の下端部から芝生面の上に固まったままの状態で落下してしまうが、本発明においては、前記隙間６８の下端部が土類落下防止板６６によって閉塞されているために、その付着・堆積状態を維持したままとなって、土類Ｄの「ぼた落ち」が防止される。
【００２９】
更に、接地ローラ４８に関しても、回転ブラシ１３のブラシ毛４４が常時接触しているために、接地ローラ４８に土類Ｄが付着を開始する初期において、その付着が阻止されて、全清掃作業中において、接地ローラ４８には、土類Ｄが付着していない状態を維持できる。しかも、上記のようにして、回転ブラシユニットＵを芝生面から上昇させた状態においても、接地ローラ４８には、回転中の回転ブラシ１３が接触しているために、接地ローラ４８の表面には、土類Ｄは、殆ど付着しなくなる。この結果、回転ブラシ１３の高さは、常時設定高さに維持されて、予め設定した最も条件のよい状態で芝生面の清掃作業が行われる。
【００３０】
なお、土類落下防止板６６に関して、上記実施例では、ゴム製のへら板６５に重ね合わせる構成であるが、該へら板６５よりも上方の部分に、前記隙間６８を閉塞可能な厚さを有する部材を直接に取付けることも可能である。
【００３１】
【発明の効果】
請求項１に記載の発明は、乗用型芝生面清掃機において、回転ブラシユニットを構成する回転ブラシを前記接地ローラに接触させてあるので、接地ローラに土類が付着を開始する初期において、その付着が阻止されて、全清掃作業中において、接地ローラには、土類が付着していない状態を維持できる。この結果、回転ブラシの高さは、常時設定高さに維持されて、予め設定した最良条件の下で芝生面の清掃作業が行われると共に、従来機では不可欠であった接地ローラ用のスクレーパが不要となる。
【００３２】
請求項２に記載の発明は、乗用型芝生面清掃機において、ケーシングの前板部の内側面の下端部に土類落下防止板を回転ブラシと軽接触した状態で、該ケーシングの横方向に沿って取付けてあるので、機体の旋回時等において、回転ブラシユニットを上昇させた場合においても、土類落下防止板の存在によって、ケーシングの前板部の内側面に付着・堆積している土類は、そのままの状態を維持して、落下しなくなる。このため、ケーシングの前板部の内側面に付着・堆積した土類の「ぼた落ち」がなくなる。
【図面の簡単な説明】
【図１】集塵バケットＢを斜後上方に持ち上げた状態の本発明に係る芝生面清掃機の全体斜視図である。
【図２】作業状態における芝生面清掃機の側面図である。
【図３】同じく平面図である。
【図４】背面カバーＣを取り外した状態の回転ブラシユニットＵの斜視図である。
【図５】回転ブラシユニットＵの背面図である。
【図６】同じく側面図である。
【図７】回転ブラシユニットＵを構成する回転ブラシ１３の部分の側面拡大断面図である。
【図８】回転ブラシユニットＵと集塵バケットＢとの斜視図である。
【図９】機体１に対して回転ブラシユニットＵが昇降する状態を示す側面図である。
【図１０】作業時における回転ブラシユニットＵの側面断面図である。
【図１１】回転ブラシユニットＵを上昇させた非作業時の側面断面図である。
【図１２】芝生面清掃機の作業時における作用説明図である。
【図１３】芝生面清掃機の非作業時における作用説明図である。
【図１４】従来の回転ブラシユニットＵ’の回転ブラシ１３の部分の側面拡大断面図である。
【符号の説明】
Ｂ：集塵バケット
Ｄ：土類
Ｔ’：枯草類
Ｕ：回転ブラシユニット
１：機体
１２：ケーシング
１３：回転ブラシ
１４：送風羽根
１７：ケーシングの前板部
４８：接地ローラ
５３：掬上案内板
６６：土類落下防止板
【図１】
0003556499.tif 000002
【図２】
0003556499.tif 000003
【図３】
0003556499.tif 000004
【図４】
0003556499.tif 000005
【図５】
0003556499.tif 000006
【図６】
0003556499.tif 000007
【図７】
0003556499.tif 000008
【図８】
0003556499.tif 000009
【図９】
0003556499.tif 000010
【図１０】
0003556499.tif 000011
【図１１】
0003556499.tif 000012
【図１２】
0003556499.tif 000013
【図１３】
0003556499.tif 000014
【図１４】
0003556499.tif 000015